(57)【要約】【課題】酸性水等の噴霧または散水、酸性水等の圧送、酸性水等の蓄圧容器への封入等に使用するものであり、電源や圧縮空気源がない場所であっても、ポリ等の容器に入れた原液（水溶性液体）と、水道蛇口などの圧力源があれば、加圧された酸性水として利用できる強制希釈器を開発・提供するものである。【解決手段】圧力水を用いて液体を希釈する希釈器（Ｘ）であって、該希釈器のケーシング（１）内に、水圧モーター区（Ａ）と水圧ポンプ区（Ｂ）とを隔てる隔壁（２）を設け、該隔壁に開けられた孔（３）を貫通する回転軸（４）と該隔壁との間に設けた軸受（５）とシール（６）、及び水圧モーター区の水圧モーター機構（Ｃ）、水圧ポンプ区の水圧ポンプ機構（Ｄ）からなる強制希釈器。【選択図】  図１
2016112517.tif 000002
【特許請求の範囲】
【請求項１】
圧力水を用いて液体を希釈する希釈器であって、
該希釈器のケーシング内に、水圧モーター区と水圧ポンプ区とを隔てる隔壁を設け、
該隔壁に開けられた孔を貫通する回転軸と該隔壁との間に設けた軸受とシール、
及び水圧モーター区の水圧モーター機構、
水圧ポンプ区の水圧ポンプ機構からなる
ことを特徴とする強制希釈器。
【請求項２】
水圧ポンプ機構で汲み上げた水溶性液体が、強酸性水、殺菌水、殺虫剤、忌避剤、芳香剤、脱臭剤、洗浄剤、液肥、塩水、電解水、染色水、飲料水、温泉水、除草剤、融雪剤、染料、中和剤から選ばれた液体である
ことを特徴とする請求項１記載の強制希釈器。
【請求項３】
水圧モーター機構の駆動源が、水道水であることを特徴とする請求項１記載の強制希釈器。
【発明の詳細な説明】
【技術分野】
【０００１】
この発明は、強制希釈器に関するものである。
【背景技術】
【０００２】
従来、太陽光パネル、屋根、壁、公園、化学タンク、蓄舎等の作業場、商業施設の広場など種々の施設において、冷却のためにスプリンクラー等の散水装置による散水が行なわれている。
【０００３】
また、散水装置は、冷却のためだけに用いるのではなく、種々の農作物、芝生への水やりのためにも必要である。
【０００４】
そして、散水装置に用いる被散水物は、単に水だけではなく、用途によっては同時に、他の水溶性液体を希釈・添加して散水（使用）したい場合も考えられる。例えば、芝生への水やりに、希釈器で希釈した液肥を添加・散水する等である。
【０００５】
従来、水道圧を利用する希釈混合器は、ベンチュリー効果（流水パイプの一部を細く絞ると、その部分の流速が上昇して圧力が下がる）を利用して液体を吸引し、水道水と吸引した液体を開放容器に受けるもので、混合によって圧力は失われる。
【０００６】
電気を用いることなく、水道水圧によって希釈混合しつつ、同時に散水、噴霧、蓄圧容器への圧送などを可能にする「強制希釈器」の開発が求められている。
【０００７】
従来技術として、同じ機構を持ちながら異なる機能を持つ「水圧モーター」と「水圧ポンプ」があり、「水圧モーター」としては、外接式歯車モーター、ベーンモーター、ピストンモーターなどが知られている。また、「水圧ポンプ」として、歯車ポンプ、ベーンポンプ、ピストンポンプなどが知られている。
【０００８】
「水圧モーター」は、流入する０．４〜２MPa 程度の圧力水によって回転トルクを得て、流入量によって回転数を得る。また、「水圧ポンプ」は、通常は電動機によって作動し、水の吸入力と吐出圧力（０．２〜３MPa 程度）と吐出流量を得る。
【０００９】
ところで、水道事業に用いられる水道圧は住宅地域では、０．４MPa 程度で、工業地域では０．６MPa 程度で吸水される。
【００１０】
また、希釈器は、被希釈物を希釈用液で希釈する希釈器は存在した。例えば、特許文献１のように。
【先行技術文献】
【特許文献】
【００１１】
【特許文献１】特開平８−１１７５８４号公報
【発明の概要】
【発明が解決しようとする課題】
【００１２】
この発明は、酸性水等の噴霧または散水、酸性水等の圧送、酸性水等の蓄圧容器への封入等に使用するものであり、電源や圧縮空気源がない場所であっても、ポリ等の容器に入れた原液（水溶性液体）と、水道蛇口などの圧力源があれば、加圧された酸性水として利用できる強制希釈器を開発・提供するものである。
【課題を解決するための手段】
【００１３】
この発明の観点に係る強制希釈器は、
圧力水を用いて液体を希釈する希釈器であって、
該希釈器のケーシング内に、水圧モーター区と水圧ポンプ区とを隔てる隔壁を設け、
該隔壁に開けられた孔を貫通する回転軸と該隔壁との間に設けた軸受とシール、及び水圧モーター区の水圧モーター機構、水圧ポンプ区の水圧ポンプ機構からなる
ことを特徴とする。
【００１４】
また、水圧ポンプで汲み上げた水溶性液体が、
強酸性水、殺菌水、殺虫剤、忌避剤、芳香剤、脱臭剤、洗浄剤、液肥、塩水、電解水、染色水、飲料水、温泉水、除草剤、融雪剤、染料、中和剤から選ばれた液体である
ことを特徴とする。
【００１５】
水圧モーターの駆動源が、水道水であることを特徴とする。
【発明の効果】
【００１６】
この発明に係る強制希釈器によると、電源や圧縮空気源がない場所であってもポリ容器に入れた原液と水道蛇口などの圧力水源があれば、加圧された酸性水等の水溶性液体を利用することが出来る等の極めて有益なる効果を奏する。
【図面の簡単な説明】
【００１７】
【図１】この発明の一実施例を示す強制希釈器の内部構造図である。
【図２】この発明の一実施例を示す強制希釈器の水道水側の内部構造図である。
【図３】この発明の一実施例を示す強制希釈器の原液側の内部構造図である。
【図４】この発明の使用状態の一例を示す説明図である。
【発明を実施するための形態】
【００１８】
圧力水を用いて液体を希釈する希釈器の容器（ケーシング）内に、水圧モーター区と水圧ポンプ区とを隔てる隔壁を設け、該隔壁に開けられた孔を貫通する回転字句と該隔壁との間に設けた軸受とシール、及び水圧モーター区の水圧モーター機構、水圧ポンプ区の水圧ポンプ機構の構造に関する。
【実施例】
【００１９】
以下、この発明の一実施例を図１，図２，そして図３に基づいて説明すると、圧力水を用いて液体を希釈する希釈器（Ｘ）であって、該希釈器のケーシング（１）内に、水圧モーター区（Ａ）と水圧ポンプ区（Ｂ）とを隔てる隔壁（２）を設け、該隔壁に開けられた孔（３）を貫通する回転軸（４）と該隔壁（２）との間に設けた軸受（５）とシール（６）、及び水圧モーター区（Ａ）の水圧モーター機構（Ｃ）、水圧ポンプ区（Ｂ）の水圧ポンプ機構（Ｄ）からなることを特徴とするものである。
【００２０】
この発明である強制希釈器に用いる圧力水は、水圧の一部を利用して、ロータリーベーンポンプを駆動した後、該ポンプで汲み上げた水溶性液体（強酸性水、殺菌水、殺虫剤、忌避剤、芳香剤、脱臭剤、洗浄剤、液肥、塩水、電解水、染色水、飲料水、温泉水、除草剤、融雪剤、染料、中和剤など）を薄めるための希釈水として用いられ、該ポンプ駆動に用いられた圧力の残り分は、排水口から圧力水として吐出され、該ポンプで汲み上げられ吐出された酸性水等と合流し、配管内で混合されるものである。
【００２１】
また、水圧モーター区（Ａ）と水圧ポンプ区（Ｂ）とを隔てる隔壁（２）に開けられた孔（３）を貫通する回転軸（４）と該隔壁（２）との間に設けた軸受（５）とシール（６）と、該隔壁（２）に開けられた孔（３）を貫通する回転軸（４）を共有する水圧モーター（Ｃ）と水圧ポンプ（Ｄ）と、簡易な軸受とシール構造によって、この発明は、コンパクトな構造を可能にした。
【００２２】
なお、水圧モーター機構（Ｃ）の一例としては、外接式歯車モーター、ベーンモーター、ピストンモーター等が知られており、これらのひとつのモーターを使用する。
【００２３】
また、水圧ポンプ機構（Ｄ）の一例としては、歯車ポンプ、ベーンポンプ、ピストンポンプ等があり、これらのひとつのポンプを使用する。
【００２４】
尚、混合器としての使用目的から、内部漏えいは許されるため、簡易構造で十分であるが、ただ、少量の内部の漏れを許すとなると、この構造では、流入する圧力水が、（比較的）高圧・大流量でないと機能しない恐れがあり、高圧・大流量・連続運転（圧送、散水）に適するものである。
【００２５】
尚、水圧モーターと水圧ポンプの仕様が同一であれば、水道水の流入流出量と酸性水等の水溶性液体等の流入流出量が略等しくなるので、希釈倍率は大凡２倍になる。
【００２６】
この発明によると、酸性水等の噴霧または散水、酸性水等の圧送、酸性水等の蓄圧容器（アキュムレーター）への封入などに適するものである。
【００２７】
この発明の強制希釈器は、電源や圧縮空気源がない場所であってもポリ容器（Ｙ）に入れた原液と水道蛇口（Ｚ）などの圧力水源があれば、加圧された原液、例えば、酸性水を希釈して利用することにより、汚れや落ちやすく、また、水垢がよく落ちるものである。
【００２８】
例えば、夏期等の高温時に、太陽光パネル、蓄舎等の屋根に噴霧し、熱を下げたり、公園や駅や商業施設等の広場に芳香剤を希釈してミストとして使用することにより一時の涼感を得ることが出来る。
【産業上の利用可能性】
【００２９】
この発明の強制希釈器の技術を確立し、実施することにより産業上利用可能性があるものである。
【符号の説明】
【００３０】
１  ケーシング
２  隔壁
３  隔壁に開けられた孔
４  回転軸
５  軸受
６  シール
７  水圧モーター
８  水圧ポンプ
９  連通管
10  管
11  噴霧装置
Ａ  水圧モーター区
Ｂ  水圧ポンプ区
Ｃ  水圧モーター機構
Ｄ  水圧ポンプ機構
Ｘ  希釈器
Ｙ  ポリ容器
Ｚ  水道蛇口
【図１】
2016112517.tif 000003
【図２】
2016112517.tif 000004
【図３】
2016112517.tif 000005
【図４】
2016112517.tif 000006